(57)【特許請求の範囲】
【請求項１】
遊技盤の遊技部に役物を備えたパチンコ機であって、役物は、遊技盤の遊技部から球を羽根部材の開放された球導入口のみから流入可能な入賞空間と、遊技部から球導入口を経由して入賞空間に流入された球を検出するカウントスイッチと、入賞空間の下部前側に設けられて左右側から中央側に球を誘導する球受棚と、入賞空間の上部後側に設けられて中央側から左右側に球を誘導する後方部分と、後方部分に設けられた権利発生口と、後方部分に設けられた一般入賞口と、権利発生口及び一般入賞口を閉止するシヤッター部材と、球受棚から後方部分に球を移送する移送手段と、球導入口から入賞空間に流入された球を移送手段よりも左右側を通って球受棚に誘導する球通路と、球を後方部分から移送手段よりも左右側を通って球受棚に戻す戻り球通路とを備え、移送手段の球を移送する上面は左右側から中央側に球を集める凹状であり、権利発生口は移送手段の上面の最も窪んだ部分で移送される球を受け入れるように移送手段の上面の最も窪んだ部分と対応した位置に設けられ、一般入賞口は権利発生口よりも左右側に設けられ、羽根部材が球導入口を開放し、遊技部から球導入口を経由して入賞空間に流入された球が球通路を経由して球受棚に到達し、上記遊技部から球導入口を経由して入賞空間に流入された球がカウントスイッチによってカウントされ、このカウントされた球数が移送手段で一度に移送され権利発生口および一般入賞口に入る最大の球数よりも多いと、羽根部材が球導入口を閉じ、移送手段が球受棚に到達した球を球受棚から後方部分に向けて移送する動作を開始し、この移送手段によって移送された球がシヤッター部材の開放された権利発生口およびシヤッター部材の開放された一般入賞口に入賞し、球が一般入賞口に入賞しても権利発生状態とならず、球が権利発生口に入賞すると、権利発生状態となるとともにシヤッター部材が権利発生口及び一般入賞口を閉止し、その後に権利が消滅し、権利が消滅するとシヤッター部材が権利発生口及び一般入賞口を開放し、上記権利消滅に伴い移送手段が球を球受棚から後方部分に向けて移送する時間後に移送動作を停止することを特徴とするパチンコ機。
【発明の詳細な説明】
【０００１】
【産業上の利用分野】
この発明は、パチンコ機に関し、特に打球が権利発生口に入賞するなど特定の条件が成立して権利状態にあるときに、打球が権利始動口に流入することにより、大入賞装置を遊技者に不利な第１状態から遊技者に有利な第２状態に変換することのできるパチンコ機に関するものである。
【０００２】
【従来の技術】
周知のように、この種のパチンコ機は数多く開発されている。例えば、特開平３−２６１４９２号公報では、球導入口を備える入賞空間内に権利発生口を備える権利発生装置を配設すると共に、入賞空間内に導入した球を上記権利発生装置に向けて移動可能な振分部材を配設したパチンコ機が提案されている。
【０００３】
【発明が解決しようとする課題】
しかしながら、上記したパチンコ機を始め、従来のこの種のパチンコ機においては、権利発生装置に入球して権利発生中に、球が権利発生口に再び入球する可能性があった。従って、遊技者が権利を充分に行使しないうちに権利が消滅する危険性が多々あり、遊技性が半減している。また、甚だしい場合には、権利を行使しないうちに権利が消滅してしまい、納得がいかない遊技になる場合もあった。
本発明は上記に鑑み提案されたもので、入賞空間へ飛入した球を権利発生口へ向けて移送可能であると共に、権利発生口における打球の入球に基づいて権利が発生したら、以後、権利発生口における球の入球に基づく権利の消滅を防止し、権利を充分に活用可能なパチンコ機を提供することを目的とする。
【０００４】
【課題を解決するための手段】
上記目的を達成するため本発明は、遊技盤の遊技部に役物を備えたパチンコ機であって、役物は、遊技盤の遊技部から球を羽根部材の開放された球導入口のみから流入可能な入賞空間と、遊技部から球導入口を経由して入賞空間に流入された球を検出するカウントスイッチと、入賞空間の下部前側に設けられて左右側から中央側に球を誘導する球受棚と、入賞空間の上部後側に設けられて中央側から左右側に球を誘導する後方部分と、後方部分に設けられた権利発生口と、後方部分に設けられた一般入賞口と、権利発生口及び一般入賞口を閉止するシヤッター部材と、球受棚から後方部分に球を移送する移送手段と、球導入口から入賞空間に流入された球を移送手段よりも左右側を通って球受棚に誘導する球通路と、球を後方部分から移送手段よりも左右側を通って球受棚に戻す戻り球通路とを備え、移送手段の球を移送する上面は左右側から中央側に球を集める凹状であり、権利発生口は移送手段の上面の最も窪んだ部分で移送される球を受け入れるように移送手段の上面の最も窪んだ部分と対応した位置に設けられ、一般入賞口は権利発生口よりも左右側に設けられ、羽根部材が球導入口を開放し、遊技部から球導入口を経由して入賞空間に流入された球が球通路を経由して球受棚に到達し、上記遊技部から球導入口を経由して入賞空間に流入された球がカウントスイッチによってカウントされ、このカウントされた球数が移送手段で一度に移送され権利発生口および一般入賞口に入る最大の球数よりも多いと、羽根部材が球導入口を閉じ、移送手段が球受棚に到達した球を球受棚から後方部分に向けて移送する動作を開始し、この移送手段によって移送された球がシヤッター部材の開放された権利発生口およびシヤッター部材の開放された一般入賞口に入賞し、球が一般入賞口に入賞しても権利発生状態とならず、球が権利発生口に入賞すると、権利発生状態となるとともにシヤッター部材が権利発生口及び一般入賞口を閉止し、その後に権利が消滅し、権利が消滅するとシヤッター部材が権利発生口及び一般入賞口を開放し、上記権利消滅に伴い移送手段が球を球受棚から後方部分に向けて移送する時間後に移送動作を停止するようにしたものである。
【０００５】
【作用】
移送手段で一度に移送され権利発生口および一般入賞口に入る最大の球数よりも多い球数の球が遊技盤の遊技部から入賞空間に流入されると、羽根部材が球導入口を閉じる。そして、入賞空間に流入された球の全部が移送手段の移送動作によって権利発生口および一般入賞口に入ると、移送手段の移送動作が終了する。
【０００６】
【実施例】
以下、本発明を図面の実施例について説明すると、図１は遊技盤１の正面図であって、この遊技盤１にはガイドレール２で囲まれる遊技部３を形成し、該遊技部３のほゞ中央鉛直線に沿って、上方から天入賞口４を備えると共に図柄表示装置５を備えるセンター役物６、図柄始動スイッチ７が臨む図柄始動装置８、普通電動役物９を備えると共に、権利スイッチ１０が臨む権利発生口１１を構成するセンター下役物１２を配設し、最下位置にはアウト口１３が開設してある。また、上記図柄始動装置８の向って左側には一般入賞となる一般入賞装置１４を、向って右側には権利始動スイッチ１５を備える権利始動入賞装置１６を配設する。
【０００７】
更に、センター下役物１２の向って左側で上記一般入賞装置１４の下方にはチューリップ式の可変入賞装置１７を設け、右側の権利始動入賞装置１６の下方には、遊技者に不利な第１状態と遊技者に有利な第２状態とに変換可能な大入賞口を構成する大入賞装置１８を設ける。そして、上記センター下役物１２の近傍には、表示装置を備える表示入賞装置１９を設ける。
【０００８】
尚、遊技部３には、風車２０やランプ風車２１、表示灯２２、或は図示していない障害釘等を適宜配設する。
【０００９】
センター役物６は、普通入賞となって所定数の賞球を獲得可能な天入賞口４を備えると共に、図柄表示装置５を備えている。この図柄表示装置５は、例えば、７セグメント発光ダイオードからなる所謂デジタル表示器からなり、３桁の数字やアルファベット等、複数の図柄を表示可能である。この図柄表示装置５は、所定の条件を創出するための特定状態創出手段を構成しており、当該図柄表示装置５が表示する表示図柄が、所定の図柄と一致するときに特定状態、即ち「当り」となって後述する普通電動役物９を打球の流入が可能なように開成する。また、上記天入賞口４の前飾りには、上記図柄表示装置５における前回の当り図柄を表示する開放図柄表示装置２３を設ける。更に、図柄表示装置５の側方には、後述する図柄始動装置８の最大４個まで記憶可能な入賞記憶を可視表示する始動入賞記憶表示灯２４を設ける。尚、上記特定状態創出手段はどのような構成のものであってもよい。
【００１０】
センター下役物１２は打球の流入が可能な入賞空間２５を有している。この入賞空間２５へは、後述する球導入口２６を通してのみ遊技部３を流下する打球が流入する。球導入口２６は、図示の実施例によれば、打球の流入ができずに遊技者に不利な第１状態と、打球の流入が容易で遊技者に有利な第２状態とに変換可能な普通電動役物９によって構成してある。また、上記入賞空間２５の後方部分には、仕切板２７を設けると共に該仕切板２７の後方に、権利スイッチ１０が臨む権利発生口１１及び普通の入賞になる一般入賞口２８とを設ける。更に、上記球導入口２６には、この球導入口２６を通って入賞空間２５に流入する球を検出するカウントスイッチ２９を臨ませる。
【００１１】
上記センター下役物１２の具体例を図２ないし図６に示す。このセンター下役物１２は、取付基板３０の上方に普通電動役物９を構成する一対の羽根部材３１及び当該羽根部材３１の駆動源である普通電動役物ソレノイド３２を有し、この普通電動役物９の下方に入賞空間２５が形成してある。
【００１２】
普通電動役物９は、上記したように一対の羽根部材３１を普通電動役物ソレノイド３２によって開閉可能に構成してある。即ち、取付基板３０に羽根部材３１を軸着すると共に、当該羽根部材３１に植設した連動ピン３１ａを取付基板３０に開設した連動孔３０ａに通し、この連動ピン３１ａの先端をリンク部材３３の先端係止溝３３ａに係止させる。リンク部材３３は、横Ｌ字状の部材であって、屈曲部をソレノイド取付板３４の支軸３４ａに回動自在に軸支してあり、他端が普通電動役物ソレノイド３２のプランジャ３２ａに作動部材３５を介して取り付けてある。即ち、作動部材３５を止着ビス３５ａによってプランジャ３２ａの先頭端面に取り付けると共に、作動部材３５の両端に設けた作動ピン３５ｂをリンク部材３３の長孔３３ｂに遊嵌させる。
【００１３】
従って、普通電動役物ソレノイド３２を励磁すると、戻りスプリング３２ｂの付勢に抗して普通電動役物ソレノイド３２が前方に前進し、リンク部材３３が支軸３４ａを支点に下方に回動して羽根部材３１が外向きに回動して打球が流入し易い開放状態となる。
【００１４】
上記球導入口２６には、入賞空間２５に流入する球を検出するカウントスイッチ２９を臨ませる。このカウントスイッチ２９は、図示の実施例によれば、球を３個カウントするために設けてある。
【００１５】
入賞空間２５は、取付基板３０の開口部の後方に箱枠状のリヤケース３６を取り付けて前面側が開放した有底箱状に構成してあり、上記開口部の周囲には囲繞壁３７を設けて球導入口２６を通してのみ球の流入が可能なようになっている。そして、開口部の上縁及び側縁から庇状に突出する障害壁３８によって、球導入口２６から流入する球を開口部の下縁に設けた球受棚３９の側方に落下させる。この球受棚３９には後方へ向けて緩い下り傾斜が設けてあり、側方には中央へ向う下り傾斜が設けてある。
【００１６】
そして、上記入賞空間２５の内部には、球受棚３９が受け止めた球を前記した権利発生口１１及び一般入賞口２８へ移送する移送手段４０を設ける。また、上記権利発生口１１及び一般入賞口２８には、移送手段４０によって運ばれた球が当該権利発生口１１及び一般入賞口２８へ球が流入することを阻止可能な閉止手段４１を開閉可能に設ける。
【００１７】
移送手段４０は、図示の実施例によれば、入賞空間２５の前後方向に３段に並ぶ上下動部材４２からなり、前段の前上下動部材４２ａが一番背が低く、中段の中上下動部材４２ｂが中位で、後段の後上下動部材４２ｃが一番背が高い。また、各上下動部材４２…の上面には、後向きの緩い下り傾斜が設けてあり、上面に載った球を後方へ向けて転動させ、下降状態にある各上下動部材４２…に載った球は後方に位置する上下動部材４２ｂ，４２ｃまたは後方仕切板２７の前面に当接する。従って、各上下動部材４２…が順次上昇すると、球は支えを失って後方へ転動し、順次上下動部材４２…を乗り換えて後方へ移送される。尚、この上下動部材４２…も球３個が横に並ぶ横幅を有しており、球を３個同時に後方へ移送することができる。
【００１８】
上記各上下動部材４２…は、モータを駆動源として上下動を繰り返す。即ち、カム用モータ４３の出力軸にほゞ１２０度の位相差を有するカム片４４ａ，４４ｂ，４４ｃを設け、これらのカム片４４を各上下動部材４２の下面側に臨ませる。従って、カム片４４が回転すると、各上下動部材４２が昇降して、入賞空間２５に流入する球を後方へ向けて移送する。尚、各上下動部材４２の下面は押え蓋４５によって封止されている。
【００１９】
後上下動部材４２ｃの後方、即ち後方仕切板２７とリヤケース３６の壁面３６ａとの間には、左右の一般入賞口２８及び権利発生口１１が開口している。この権利発生口１１には権利入賞球通路４６の一端が連通し、一般入賞口２８には一般入賞球通路４７の一端が連通する。また、上記権利入賞球通路４６の他端は入賞空間２５の外部に連通し、一般入賞球通路４７の他端も入賞空間２５の外部に連通する。更に、前記した障害壁３８の後方に、側方仕切壁４８を延設してリヤケース３６の側壁との間に戻り球通路４９を形成し、この戻り球通路４９の入口４９ａを一般入賞口２８の下方前側に位置させ、出口４９ｂを球受棚３９の上方後側に位置させる。従って、この戻り球通路４９は、一端が移送手段４０の上流側に開口し、他端が移送手段４０の下流側に開口する。そして、上記一般入賞口２８及び権利発生口１１には、球の流入を阻止する閉止手段４１を夫々設ける。
【００２０】
各閉止手段４１は、前後方向にスライド可能なシャッター部材５０と、駆動源として自己保持可なラッチングソレノイドからなるシャッターソレノイド５１とを夫々備えている。この閉止手段４１は、基端を支軸５２ａによって回動自在に軸着すると共に先端をシャッター部材５０に枢着した作動部材５２と、上記シャッターソレノイド５１のプランジャ５１ａの先端に連結ピン５３ａで連結した連結部材５３とを備え、上記作動部材５２の中間部分に連結部材５３を連結ピン５３ｂで軸着して構成してある。尚、上記シャッター部材５０はガイド溝５４によって水平方向にスライドするように案内される。また、上記支軸５２ａは、支軸押え５２ｂによってリヤケース３６に止着される。従って、上記シャッターソレノイド５１を励磁すると、プランジャ５１ａが突出して権利発生口１１または一般入賞口２８を閉止したり、プランジャ５１ａが後退して権利発生口１１または一般入賞口２８を開放することができる。
【００２１】
仕切板２７の後方中央に位置する権利発生口１１には、権利入賞球通路４６を連通させ、この権利入賞球通路４６の途中に権利スイッチ１０を設ける。この権利発生口１１は、球が一個通過可能な大きさに開設してあり、左右は閉止板２７′によって閉止してあり、後述する一般入賞口２８は、この閉止板２７′の更に外側に開設してある。この閉止板２７′は、権利発生口１１側が高く、側方が低くなっている。また、この権利発生口１１を閉止するシャッター部材５０（シャッターＡ）の上面は山形に突出しており、このシャッター部材５０に載った球は、後述する一般入賞口２８へ流れる。尚、権利入賞球通路４６の下端は、入賞球を機裏に排出するように開口している。
【００２２】
一般入賞口２８は、仕切板２７の後方で且つ前記した戻り球通路４９の後端に位置する。この一般入賞口２８も球が一個流入可能な大きさに形成されると共に、シャッターソレノイド５１（シャッターソレノイドＢ、シャッターソレノイドＢ′）を駆動源としてスライド可能なシャッター部材５０（シャッターＢ、シャッターＢ′）を備える閉止手段４１を設ける。従って、この一般入賞口２８がシャッター部材５０によって一般入賞口２８が塞がれているときには、球が戻り球通路４９を通って入賞空間２５の前面側に移動する。また、上記一般入賞口２８に連通する一般入賞球通路４７を上記戻り球通路４９の下方に設け、一般入賞球を側方に排出する。
【００２３】
上記のような一般入賞口２８においては、当該一般入賞口２８がシャッター部材５０（シャッターＢ、シャッターＢ′）で閉止されている場合には、戻り球通路４９を通って球が循環し、一般入賞口２８が開放しているときには、一般入賞球通路４７を通って遊技盤１の裏側に排出される。
【００２４】
尚、図示のセンター下役物１２には、継続回数表示装置５５を設けた下飾り部５６が設けてある。また、障害壁３８の上方の取付基板３０には、複数の発光ダイオードからなるデモ表示器５７が設けてある。
【００２５】
一方、センター役物６の右側に位置する権利始動入賞装置１６は、図７に示すように、取付板５８の前面側にモータ５９を駆動源とする円筒状の回転部材６０を軸着し、この回転部材６０の側周面に球一個を受入可能な断面ほゞＵ字形の球受凹部６１を設ける。また、回転部材６０の周囲には、上部に球の直径より若干幅広な球受入口６２を開設した囲繞壁６３を設ける。そして、上記取付板５８には回転部材６０の球受凹部６１と連通可能な位置に球出口６４を開設する。また、上記取付板５８の裏面側にはガイド壁６５を設けると共にカバー体６６を止着して、上記球出口６４に連通する球連通路６７を形成し、この球連通路６７には権利始動スイッチ１５を臨ませる。尚、上記カバー体６６にはモータ取付ボス６９を設け、この取付ボス６９を介してモータ５９が取り付けてある。
【００２６】
上記のような構成の権利始動入賞装置１６においては、例えば１分間に５回転するモータ５９を適用すると、回転部材６０は１２秒で一回転する。そこで、遊技部３を流下する球が囲繞壁６３の球受入口６２に入っても、球受入口６２と球受凹部６１とが一致していないときは、球は回転部材６０の側周面に載って球受凹部６１が巡って来るまで待機する。そして、球受凹部６１が巡って来ると、当該球受凹部６１にこの球が嵌入し、回転部材６０の回転に伴って球出口６４に移送され、球出口６４から球連通路６７を通って権利始動スイッチ１５に作用したのち、遊技盤１の裏面側へ排出される。従って、遊技盤１を流下する打球が連続して球受入口６２へ到達しても、一発目の球が権利始動スイッチ１５をオンさせた後、次の球が再び権利始動スイッチ１５をオンさせるには少なくとも１２秒の間隔が開くことになる。尚、図７において符号Ｇは前面ガラスである。
【００２７】
大入賞口を構成する大入賞装置１８は、図８に示すように、ベース板７０の前面に打球を受入れるポケット７１と、該ポケット７１の上縁開口縁の左右に一対の回動翼片７２を設けて構成している。
【００２８】
上記ポケット７１はベース板７０の下半部に止着され、上記ベース板７０に開設した通孔７３に連通する。そして、回動翼片７２，７２間の上方開口から流入する球を、上記通孔７３を通して遊技盤１の裏面側に取込可能に構成してある。そして、ポケット７１の前面には飾板７４を添設して上記開口部を覆うと共に、この飾板７４に２本の支軸７５を後方へ向けて植設し、前記回動翼片７２を回動自在に軸支する。
【００２９】
回動翼片７２は軸支側基端部分に凹部７６を設け、該凹部７６にベース板７０に開設した透孔７７を通して後述する揺動部材７８の揺動突起７９を遊嵌させる。この回動翼片７２を回動させる駆動伝達機構は、大入賞口ソレノイド８０の励磁によって前後方向にスライドするプランジャ８１の運動を回動翼片７２の回動運動に変換するもので、長さのほゞ中央をカバー部材８２に軸着した揺動杆８３の一端に設けた長孔８４に上記プランジャ８１をピン８５で連結し、この揺動杆８３の他端と上記した揺動部材７８とを連結杆８６を介して連絡してなる。
【００３０】
また、上記ポケット７１の開口上端には１０カウントスイッチとして機能する球検出器８７を臨ませ、回動翼片７２の間に流入する球を検出可能とする。
【００３１】
上記のように構成された大入賞装置１８は、常態において大入賞口ソレノイド８０が消磁し、戻りスプリング８８の付勢によってプランジャ８１が後退しているので、揺動部材７８の揺動突起７９が上向きとなり、回動翼片７２の先端が閉じて打球の流入が不可能な第１状態となっている。一方、大入賞口ソレノイド８０を励磁するとプランジャ８１がスライドして揺動杆８３及び連結杆８６を介して揺動部材７８が支軸８９を支点に揺動するので、揺動部材７８の揺動突起７９が下向きに回動し、これにより回動翼片７２が傾動して大入賞口が開放されて打球が流入し易い第２状態に変換する。
【００３２】
尚、図示の実施例においては、大入賞装置１８として、回動翼片７２を有する入賞装置を示しているが、例えばゲート板を有する所謂アタッカー形式の入賞装置を適用することも可能である。
【００３３】
更に、図示の実施例においては、遊技部３の下方部分の左右で所謂「落し」の位置には、例えば多数の発光ダイオードからなるマトリクス表示器を有する表示入賞装置１９が配設してある。この表示入賞装置１９には、メッセージや大入賞口の入賞球数等を表示可能である。
【００３４】
次に、上記のようなパチンコ機における遊技について説明すと、図９は制御手段の一例を示すブロック図であり、制御手段はＭＰＵを中心に構成され、ＲＯＭ及びＲＡＭのデータ及びプログラムに従って、入力回路及び出力回路並びに諸回路を介して諸装置等を制御する。
【００３５】
図１０は第１の実施例を示すタイムチャートである。第１の実施例では、遊技者が弾発した打球が図柄始動装置８に入球し、図柄始動スイッチ７がオンすると、図柄表示装置５が図柄の可変表示（回転）を開始し、所定時間経過後に停止表示する図柄が予め設定した図柄と一致すると、「当り」となる。
【００３６】
図柄表示装置５が「当り」になると、普通電動役物９が所定個数または所定時間開放する。例えば、カウントスイッチ２９が入賞球を３個検出するか、５秒経過するまで、普通電動役物ソレノイド３２を励磁して打球が流入し易い第２状態に開放する。
【００３７】
一方、図柄表示装置５が回転を停止すると、各シャッターソレノイド５１（シャッターソレノイドＡ及びシャッターソレノイドＢ，Ｂ′）を励磁して、各シャッター部材５０（シャッターＡ，シャッターＢ，Ｂ′）をスライドさせて、権利発生口１１及び一般入賞口２８を開放する。
【００３８】
そして、上記普通電動役物ソレノイド３２を消磁して普通電動役物９の羽根部材３１を閉止し、球が流入できない第１状態に復帰してから、例えば３秒後（３個の球が球受棚３９に整列するのを待って）、カム片４４のカム用モータ４３を駆動して移送手段４０を作動させる。
【００３９】
移送手段４０は前記したように、球を横３列に並べて順次後方へ移送するので、仕切板２７を越えると中央の球が権利発生口１１に流入し、左右の球が閉止板２７′を転がって左右の一般入賞口２８に流入する。そして、権利発生口１１に流入した球は権利入賞球通路４６を流下して権利スイッチ１０をオンさせる。また、一般入賞口２８に流入した球は一般入賞球通路４７を流下して排出される。
【００４０】
権利スイッチ１０がオンすると、権利が発生して権利状態になる。権利状態になると、権利発生口１１のシャッターソレノイド５１（シャッターソレノイドＡ）を励磁してシャッター部材５０（シャッターＡ）をスライドさせて権利発生口１１を閉止する。従って、再び権利発生口１１に球が入球して権利が消滅する恐れがなくなり、遊技者は安心して遊技を続行することができる。尚、一般入賞口２８のシャッターソレノイドＢ，Ｂ′はそのままで、一般入賞口２８は開放状態を維持する。
【００４１】
上記のような権利状態になったら、遊技者は権利始動スイッチ１５が臨む権利始動入賞装置１６を狙って打球を発射する。この打球が権利始動入賞装置１６に入球して権利始動スイッチ１５がオンすると、大入賞口ソレノイド８０を励磁して大入賞口である大入賞装置１８を球検出器（１０カウントスイッチ）８７が１０個の入球を検出するまで、または１０秒経過するまで開放する。そして、この大入賞装置１８の開放を最大１６回繰り返して権利が消滅する。
【００４２】
権利が消滅すると、直ちに、一般入賞口２８のシャッターソレノイド５１（シャッターソレノイドＢ，Ｂ′）を励磁してシャッター部材５０（シャッターＢ，Ｂ′）をスライドさせて一般入賞口２８を閉止すると共に、カム用モータ４３を停止して移送手段４０を停止する。但し、権利消滅時において、普通電動役物９が作動していた場合には、普通電動役物ソレノイド３２が消磁してから、所定時間（例えば３秒）が経過してから一般入賞口２８の閉止及び移送手段４０の停止を行なう。これは入賞空間２５内に球が残留することを防ぐためである。
【００４３】
上記のようなパチンコ遊技によれば、権利が発生したら、権利発生口１１を閉止するので、権利発生口１１へ再び球が流入して権利が消滅する恐れがなく、遊技者は、権利を充分に活用することができる。
【００４４】
図１１は第２の実施例を示すタイムチャートであり、この実施例が上記した第１の実施例と相違する点は、権利消滅時のシャッターソレノイド５１（シャッターＡ及びシャッターＢ，Ｂ′）並びにカム用モータ４３の制御にある。即ち、権利消滅時において、普通電動役物ソレノイド３２がオンした場合に、権利発生口１１のシャッターソレノイド５１（シャッターＡ）を励磁して、権利発生口１１を直ちに開放する。一方、カム用モータ４３の回転及び一般入賞口２８の開放状態はそのまま維持する。
【００４５】
このような実施例によれば、権利が消滅後、再び権利発生口１１に入賞し易くなって、再び権利を獲得し易くなり、遊技性が向上する。
【００４６】
図１２は第３の実施例を示すタイムチャートであり、この実施例では、上記した各実施例と異り、上下動部材４２の上面を中央部分が凹陥したＶ字状になっている。
【００４７】
この実施例においては、権利が発生していない通常の状態では、権利発生口１１及び一般入賞口２８のシャッター部材５０（シャッターＡ及びシャッターＢ，Ｂ′）を開放しておく。そして、普通電動役物９が開放して球が３個流入し、横に整列するように閉止後例えば３秒間待機してからカム用モータ４３を回転させて上下動部材４２を昇降させる。そして、権利発生口１１に入球して権利スイッチ１０がオンして権利が発生したら、各シャッターソレノイド５１（シャッターソレノイドＡ及びシャッターソレノイドＢ、Ｂ′）を励磁して各シャッター部材５０（シャッターＡ及びシャッターＢ，Ｂ′）を閉止する。この状態では、入賞空間２５に４個以上流入した場合に、残りの球が権利発生口１１に入賞することなく、戻り通路と移送手段４０によって権利消滅まで循環する。そして、権利消滅後もカム用モータ４３が５秒間回転を続けるので、残りの球が権利発生口１１に入球して権利が再び発生し易い。即ち、「大当り」が連続して発生し易くなって、一段とゲーム性が向上する。
【００４８】
更に、本発明におけるゲームは、カム用モータ４３及び各シャッター部材５０の制御によって様々に設定できる。例えば、権利の消滅を取り止めたり、入賞空間２５内に球をプールしておき、権利の発生、消滅を繰り返し行なうようにすることができる。
【００４９】
本発明は、上記した各実施例において、権利発生中、権利行使中、各シャッターＡ、Ｂ、Ｂ′が開放または閉止、何れか一方の状態、カウントスイッチ２９が入賞球を３個カウントした場合、或は実施例３のようにカウントスイッチ２９が４個カウントした場合等、遊技の種々の状態に応じて、スピーカ９０から各々異る効果音を放声したり、様々なランプ表示によって視覚及び聴覚で当該遊技状態を報知すれば、遊技状態が遊技者に一層理解し易くなる。
【００５０】
以上本発明を図面の実施例について説明したが、本発明は上記した実施例に限定されるものではなく、特許請求の範囲に記載した構成を変更しない限り適宜に実施できる。例えば、移送手段は複数の球を同時に移送可能であって、その内の１つを権利発生口へ移送できればどのような構成であってもよい。
【００５１】
【発明の効果】
以上要するに本発明に係るパチンコ機は、移送手段で一度に移送され権利発生口および一般入賞口に入る最大の球数よりも多い球数の球が遊技盤の遊技部から入賞空間に流入されると、羽根部材が球導入口を閉じ、入賞空間に流入された球の全部が移送手段の移送動作によって権利発生口および一般入賞口に入ると、移送手段の移送動作が終了するので、遊技者に有利になる権利を充分に活用可能なパチンコ機を提供し、興趣に富んだパチンコゲームが可能になる。
【図面の簡単な説明】
【図１】遊技盤の正面図である。
【図２】センター下役物の一部を欠截した正面図である。
【図３】センター下役物の一部を欠截した背面図である。
【図４】センター下役物の縦断面図である。
【図５】図２の矢視Ａにおける断面図である。
【図６】図４の矢視Ｂにおける断面図である。
【図７】権利始動入賞装置を示し、（Ａ）は正面図、（Ｂ）は断面図である。
【図８】大入賞装置を示し、（Ａ）は正面図、（Ｂ）は断面図である。
【図９】制御手段のブロック図である。
【図１０】第１の実施例におけるタイムチャートである。
【図１１】第２の実施例におけるタイムチャートである。
【図１２】第３の実施例におけるタイムチャートである。
【符号の説明】
１  遊技盤
１０  権利スイッチ
１１  権利発生口
２５  入賞空間
２６  球導入口
２８  一般入賞口
４０  移送手段
４１  閉止手段
４９  戻り球通路
【図１】
0003768246.tif 000002
【図２】
0003768246.tif 000003
【図３】
0003768246.tif 000004
【図４】
0003768246.tif 000005
【図５】
0003768246.tif 000006
【図６】
0003768246.tif 000007
【図７】
0003768246.tif 000008
【図８】
0003768246.tif 000009
【図９】
0003768246.tif 000010
【図１０】
0003768246.tif 000011
【図１１】
0003768246.tif 000012
【図１２】
0003768246.tif 000013